(57)【要約】【課題】電源供給装置の突入電流およびエネルギー浪費を低減する可能な可変の回路ループインピーダンスを有する電源供給装置を提供する。【解決手段】本発明の可変の回路ループインピーダンスを有する電源供給装置は、電力変換ユニットが動作モードである場合、電力変換ユニットは、交流電源供給装置からの交流電源を直流電源に変換し、電源起動信号を第１スイッチ制御ユニットに送信する。第１スイッチ制御ユニットは、電源起動信号を受信した後、第１コンデンサおよび第２コンデンサよりなるコンデンサ全体のインピーダンスが第１コンデンサの第１コンデンサインピーダンスよりも小さくなるように、第１スイッチユニットをオンにする。電力変換ユニットが動作モード以外である場合、第１スイッチ制御ユニットは、コンデンサ全体のインピーダンスが第１コンデンサインピーダンスに等しくなるように、第１スイッチユニットをオンにしない。【選択図】図１
2015122934.tif 000002
【特許請求の範囲】
【請求項１】
交流電源供給装置および負荷装置に用いられ、可変の回路ループインピーダンスを有する電源供給装置であって、
前記交流電源供給装置および前記負荷装置に電気的に接続される電力変換ユニットと、
前記電力変換ユニットに電気的に接続される第１コンデンサと、
前記電力変換ユニットおよび前記第１コンデンサに電気的に接続される第２コンデンサと、
前記第２コンデンサに電気的に接続される第１スイッチユニットと、
前記第１スイッチユニット、前記電力変換ユニットおよび前記交流電源供給装置に電気的に接続される第１スイッチ制御ユニットと、を含み、
前記電力変換ユニットが動作モードである場合、
前記電力変換ユニットは、前記交流電源供給装置からの交流電源を直流電源に変換し、電源起動信号を前記第１スイッチ制御ユニットに送信し、
前記第１スイッチ制御ユニットは、前記電源起動信号を受信した後、前記第１コンデンサおよび前記第２コンデンサよりなるコンデンサ全体のインピーダンスが前記第１コンデンサの第１コンデンサインピーダンスよりも小さくなるように、前記第１スイッチユニットをオンにし、
前記電力変換ユニットが動作モード以外である場合、
前記第１スイッチ制御ユニットは、前記コンデンサ全体のインピーダンスが前記第１コンデンサインピーダンスに等しくなるように、前記第１スイッチユニットをオンにしないことを特徴とする可変の回路ループインピーダンスを有する電源供給装置。
【請求項２】
前記第１スイッチユニットおよび前記第２コンデンサに電気的に接続される保護抵抗をさらに含むことを特徴とする請求項１に記載の可変の回路ループインピーダンスを有する電源供給装置。
【請求項３】
前記電力変換ユニットは、前記負荷装置、前記第１スイッチ制御ユニット、前記第１コンデンサおよび前記第２コンデンサに電気的に接続されるＤＣ／ＤＣ変換サブユニットを含み、
前記ＤＣ／ＤＣ変換サブユニットは、前記電力変換ユニットが前記動作モードである場合、前記電源起動信号を前記第１スイッチ制御ユニットに送信することを特徴とする請求項２に記載の可変の回路ループインピーダンスを有する電源供給装置。
【請求項４】
前記電力変換ユニットは、前記第１コンデンサ、前記第２コンデンサおよび前記ＤＣ／ＤＣ変換サブユニットに電気的に接続される力率補正サブユニットをさらに含むことを特徴とする請求項３に記載の可変の回路ループインピーダンスを有する電源供給装置。
【請求項５】
前記電力変換ユニットは、前記力率補正サブユニットおよび前記第１スイッチ制御ユニットに電気的に接続される負温度係数サーミスタをさらに含むことを特徴とする請求項４に記載の可変の回路ループインピーダンスを有する電源供給装置。
【請求項６】
前記電力変換ユニットは、前記交流電源供給装置、前記負温度係数サーミスタおよび前記第１スイッチ制御ユニットに電気的に接続される整流サブユニットをさらに含むことを特徴とする請求項５に記載の可変の回路ループインピーダンスを有する電源供給装置。
【請求項７】
前記第１スイッチユニットは、トランジスタスイッチであることを特徴とする請求項６に記載の可変の回路ループインピーダンスを有する電源供給装置。
【請求項８】
前記ＤＣ／ＤＣ変換サブユニットは、ＤＣ／ＤＣコンバータであることを特徴とする請求項７に記載の可変の回路ループインピーダンスを有する電源供給装置。
【請求項９】
前記力率補正サブユニットは、力率補正回路であることを特徴とする請求項８に記載の可変の回路ループインピーダンスを有する電源供給装置。
【請求項１０】
前記整流サブユニットは、ブリッジ整流器であることを特徴とする請求項９に記載の可変の回路ループインピーダンスを有する電源供給装置。
【発明の詳細な説明】
【技術分野】
【０００１】
本発明は、電源供給装置に関し、特に、可変の回路ループインピーダンスを有する電源供給装置に関する。
【背景技術】
【０００２】
電源供給装置（または電力変換装置）が起動する際に、または、負荷が電源供給装置（または電力変換装置）に接続される際に、突入電流が発生しやすい。突入電流により、電源供給装置（または電力変換装置）が壊されやすい。そのため、電源供給装置（または電力変換装置）は、通常、突入電流の発生を抑制するための負温度係数サーミスタが設けられている。
【発明の概要】
【発明が解決しようとする課題】
【０００３】
しかし、負温度係数サーミスタの抵抗値が高いため、電源供給装置（または電力変換装置）が動作モードである場合（この時、突入電流が発生する恐れはない）、電源供給装置（または電力変換装置）のエネルギーの浪費につながる。
【０００４】
本発明の目的は、上述した従来技術の欠点を解消し、可変の回路ループインピーダンスを有する電源供給装置を提供することにある。
【課題を解決するための手段】
【０００５】
上記目的を達成するために、本発明の可変の回路ループインピーダンスを有する電源供給装置は、交流電源供給装置および負荷装置に用いられ、前記交流電源供給装置および前記負荷装置に電気的に接続される電力変換ユニットと、前記電力変換ユニットに電気的に接続される第１コンデンサと、前記電力変換ユニットおよび前記第１コンデンサに電気的に接続される第２コンデンサと、前記第２コンデンサに電気的に接続される第１スイッチユニットと、前記第１スイッチユニット、前記電力変換ユニットおよび前記交流電源供給装置に電気的に接続される第１スイッチ制御ユニットと、を含む。前記電力変換ユニットが動作モードである場合、前記電力変換ユニットは、前記交流電源供給装置からの交流電源を直流電源に変換し、電源起動信号を前記第１スイッチ制御ユニットに送信し、前記第１スイッチ制御ユニットは、前記電源起動信号を受信した後、前記第１コンデンサおよび前記第２コンデンサよりなるコンデンサ全体のインピーダンスが前記第１コンデンサの第１コンデンサインピーダンスよりも小さくなるように、前記第１スイッチユニットをオンにする。前記電力変換ユニットが動作モード以外である場合、前記第１スイッチ制御ユニットは、前記コンデンサ全体のインピーダンスが前記第１コンデンサインピーダンスに等しくなるように、前記第１スイッチユニットをオンにしない。
【０００６】
また、上述した可変の回路ループインピーダンスを有する電源供給装置は、前記第１スイッチユニットおよび前記第２コンデンサに電気的に接続される保護抵抗をさらに含む。
【０００７】
また、上述した可変の回路ループインピーダンスを有する電源供給装置において、前記電力変換ユニットは、前記負荷装置、前記第１スイッチ制御ユニット、前記第１コンデンサおよび前記第２コンデンサに電気的に接続されるＤＣ／ＤＣ変換サブユニットを含み、前記ＤＣ／ＤＣ変換サブユニットは、前記電力変換ユニットが前記動作モードである場合、前記電源起動信号を前記第１スイッチ制御ユニットに送信する。
【０００８】
また、上述した可変の回路ループインピーダンスを有する電源供給装置において、前記電力変換ユニットは、前記第１コンデンサ、前記第２コンデンサおよび前記ＤＣ／ＤＣ変換サブユニットに電気的に接続される力率補正サブユニットをさらに含む。
【０００９】
また、上述した可変の回路ループインピーダンスを有する電源供給装置において、前記電力変換ユニットは、前記力率補正サブユニットおよび前記第１スイッチ制御ユニットに電気的に接続される負温度係数サーミスタをさらに含む。
【００１０】
また、上述した可変の回路ループインピーダンスを有する電源供給装置において、前記電力変換ユニットは、前記交流電源供給装置、前記負温度係数サーミスタおよび前記第１スイッチ制御ユニットに電気的に接続される整流サブユニットをさらに含む。
【００１１】
また、上述した可変の回路ループインピーダンスを有する電源供給装置において、前記第１スイッチユニットは、トランジスタスイッチであってもよいがこれに限定されない。
【００１２】
また、上述した可変の回路ループインピーダンスを有する電源供給装置において、前記ＤＣ／ＤＣ変換サブユニットは、ＤＣ／ＤＣコンバータであってもよいがこれに限定されない。
【００１３】
また、上述した可変の回路ループインピーダンスを有する電源供給装置において、前記力率補正サブユニットは、力率補正回路であってもよいがこれに限定されない。
【００１４】
また、上述した可変の回路ループインピーダンスを有する電源供給装置において、前記整流サブユニットは、ブリッジ整流器であってもよいがこれに限定されない。
【発明の効果】
【００１５】
本発明によれば、電源供給装置の突入電流およびエネルギー浪費を低減することができる。
【図面の簡単な説明】
【００１６】
【図１】本発明の第１の実施例に係る、可変の回路ループインピーダンスを有する電源供給装置のブロック図である。
【図２】本発明の第２の実施例に係る、可変の回路ループインピーダンスを有する電源供給装置のブロック図である。
【発明を実施するための形態】
【００１７】
図１は、本発明の第１の実施例に係る、可変の回路ループインピーダンスを有する電源供給装置のブロック図である。本発明の可変の回路ループインピーダンスを有する電源供給装置１０は、交流電源供給装置２０および負荷装置３０に用いられる。可変の回路ループインピーダンスを有する電源供給装置１０は、電力変換ユニット１０２と、第１コンデンサ１０４、第２コンデンサ１０６と、第１スイッチユニット１０８と、第１スイッチ制御ユニット１１０とを含む。
【００１８】
電力変換ユニット１０２は、交流電源供給装置２０および負荷装置３０に電気的に接続される。第１コンデンサ１０４は、電力変換ユニット１０２に電気的に接続される。第２コンデンサ１０６は、電力変換ユニット１０２および第１コンデンサ１０４に電気的に接続される。第１スイッチユニット１０８は、第２コンデンサ１０６に電気的に接続される。第１スイッチ制御ユニット１１０は、第１スイッチユニット１０８、電力変換ユニット１０２および交流電源供給装置２０に電気的に接続される。
【００１９】
電力変換ユニット１０２が動作モードである場合、電力変換ユニット１０２は、交流電源供給装置２０からの交流電源１１２を直流電源１１４に変換し、電源起動信号１１６を第１スイッチ制御ユニット１１０に送信する。
【００２０】
第１スイッチ制御ユニット１１０は、電源起動信号１１６を受信した後、第１コンデンサ１０４および第２コンデンサ１０６よりなるコンデンサ全体のインピーダンスが第１コンデンサ１０４の第１コンデンサインピーダンスよりも小さくなるように、第１スイッチユニット１０８をオンにする。
【００２１】
電力変換ユニット１０２が動作モード以外である場合、第１スイッチ制御ユニット１１０は、コンデンサ全体のインピーダンスが第１コンデンサインピーダンスに等しくなるように、第１スイッチユニット１０８をオンにしない。
【００２２】
言い換えると、電力変換ユニット１０２（または交流電源供給装置２０）が起動する際に、または、負荷装置３０が電力変換ユニット１０２に接続される際に（この時、電力変換ユニット１０２が動作モードにまだ入っていない）、突入電流が発生しやすい。
そのとき、第１スイッチ制御ユニット１１０は、コンデンサ全体のインピーダンスが第１コンデンサインピーダンスに等しくなるように、第１スイッチユニット１０８をオンにしない。第１コンデンサインピーダンスは、第１スイッチ制御ユニット１１０が第１スイッチユニット１０８をオンにするときの、第１コンデンサ１０４および第２コンデンサ１０６よりなるコンデンサ全体のインピーダンスよりも大きい。これによって、コンデンサ全体のインピーダンスが比較的に大きいため、突入電流の発生を比較的に抑制することができる。
【００２３】
そして、電力変換ユニット１０２が動作モードに入り（この時、突入電流の発生する恐れはない）、電力変換ユニット１０２は、電源起動信号１１６を第１スイッチ制御ユニット１１０に送信し、第１スイッチ制御ユニット１１０は、第１コンデンサ１０４および第２コンデンサ１０６よりなるコンデンサ全体のインピーダンスが第１コンデンサ１０４の第１コンデンサのインピーダンスよりも小さくなるように、第１スイッチユニット１０８をオンにする。これによって、コンデンサ全体のインピーダンスが比較的に小さいため、エネルギー浪費を比較的に低減することができる。
【００２４】
なお、図１に示すように、電源起動信号１１６は、電力変換ユニット１０２から提供されるものであるが、交流電源供給装置２０または他の回路から提供されるものであってもよい。言い換えると、電源起動信号１１６は、（１）電源給電信号（ＰＳ＿ＯＮ）または補助電源電圧信号（ＶＡＵＸ）、（２）高圧信号（ＶＨＶ）、（３）送電線および中性線の電圧信号（ＬＮ）、のうち提供されるものであってもよい。
【００２５】
図２は、本発明の第２の実施例に係る、可変の回路ループインピーダンスを有する電源供給装置のブロック図である。本発明の可変の回路ループインピーダンスを有する電源供給装置１０は、交流電源供給装置２０および負荷装置３０に用いられる。可変の回路ループインピーダンスを有する電源供給装置１０は、電力変換ユニット１０２と、第１コンデンサ１０４と、第２コンデンサ１０６と、第１スイッチユニット１０８と、第１スイッチ制御ユニット１１０と、保護抵抗１１８とを含む。
【００２６】
電力変換ユニット１０２は、ＤＣ／ＤＣ変換サブユニット１０２０２と、力率補正サブユニット１０２０４と、負温度係数サーミスタ１０２０６と、整流サブユニット１０２０８とを含む。
【００２７】
電力変換ユニット１０２は、交流電源供給装置２０および負荷装置３０に電気的に接続される。第１コンデンサ１０４は、電力変換ユニット１０２に電気的に接続される。第２コンデンサ１０６は、電力変換ユニット１０２および第１コンデンサ１０４に電気的に接続される。第１スイッチユニット１０８は、第２コンデンサ１０６に電気的に接続される。第１スイッチ制御ユニット１１０は、第１スイッチユニット１０８、電力変換ユニット１０２および交流電源供給装置２０に電気的に接続される。保護抵抗１１８は、第１スイッチユニット１０８および第２コンデンサ１０６に電気的に接続される。
【００２８】
ＤＣ／ＤＣ変換サブユニット１０２０２は、負荷装置３０、第１スイッチ制御ユニット１１０、第１コンデンサ１０４および第２コンデンサ１０６に電気的に接続される。力率補正サブユニット１０２０４は、第１コンデンサ１０４、第２コンデンサ１０６およびＤＣ／ＤＣ変換サブユニット１０２０２に電気的に接続される。負温度係数サーミスタ１０２０６は、力率補正サブユニット１０２０４および第１スイッチ制御ユニット１１０に電気的に接続される。整流サブユニット１０２０８は、交流電源供給装置２０、負温度係数サーミスタ１０２０６および第１スイッチ制御ユニット１１０に電気的に接続される。
【００２９】
電力変換ユニット１０２が動作モードである場合、電力変換ユニット１０２は、交流電源供給装置２０からの交流電源１１２を直流電源１１４に変換し、電力変換ユニット１０２のＤＣ／ＤＣ変換サブユニット１０２０２は、電源起動信号１１６を第１スイッチ制御ユニット１１０に送信する。
【００３０】
第１スイッチ制御ユニット１１０は、電源起動信号１１６を受信した後、第１コンデンサ１０４および第２コンデンサ１０６よりなるコンデンサ全体のインピーダンスが第１コンデンサ１０４の第１コンデンサインピーダンスよりも小さくなるように、第１スイッチユニット１０８をオンにする。
【００３１】
電力変換ユニット１０２が動作モード以外である場合、第１スイッチ制御ユニット１１０は、コンデンサ全体のインピーダンスが第１コンデンサインピーダンスに等しくなるように、第１スイッチユニット１０８をオンにしない。
【００３２】
言い換えると、電力変換ユニット１０２（または交流電源供給装置２０）が起動する際に、または、負荷装置３０が電力変換ユニット１０２に接続される際に（この時、電力変換ユニット１０２が動作モードにまだ入っていない）、突入電流が発生しやすい。ここで、第１スイッチ制御ユニット１１０は、コンデンサ全体のインピーダンスが第１コンデンサインピーダンスに等しくなるように、第１スイッチユニット１０８をオンにしない。第１コンデンサインピーダンスは、第１スイッチ制御ユニット１１０が第１スイッチユニット１０８をオンにするときの、第１コンデンサ１０４および第２コンデンサ１０６よりなるコンデンサ全体のインピーダンスよりも大きい。これによって、コンデンサ全体のインピーダンスが比較的に大きいため、突入電流の発生を比較的に抑制することができる。
【００３３】
そして、電力変換ユニット１０２が動作モードに入り（この時、突入電流の発生する恐れはない）、電力変換ユニット１０２は、電源起動信号１１６を第１スイッチ制御ユニット１１０に送信し、第１スイッチ制御ユニット１１０は、第１コンデンサ１０４および第２コンデンサ１０６よりなるコンデンサ全体のインピーダンスが第１コンデンサ１０４の第１コンデンサのインピーダンスよりも小さくなるように、第１スイッチユニット１０８をオンにする。これによって、コンデンサ全体のインピーダンスが比較的に小さいため、エネルギー浪費を比較的に低減することができる。
【００３４】
また、図２に示すように、電源起動信号１１６は、電力変換ユニット１０２のＤＣ／ＤＣ変換サブユニット１０２０２から提供されるものであるが、交流電源供給装置２０または他の回路（例えば、整流サブユニット１０２０８）から提供されるものであってもよい。言い換えると、電源起動信号１１６は、電源給電信号（ＰＳ＿ＯＮ）または補助電源電圧信号（ＶＡＵＸ）、高圧信号（ＶＨＶ）、送電線および中性線の電圧信号（ＬＮ）の何れかから提供されるものであってもよい。
【００３５】
なお、第１スイッチユニット１０８は、トランジスタスイッチであってもよいがこれに限定されない。ＤＣ／ＤＣ変換サブユニット１０２０２は、ＤＣ／ＤＣコンバータであってもよいがこれに限定されない。力率補正サブユニット１０２０４は、力率補正回路であってもよいがこれに限定されない。整流サブユニット１０２０８は、ブリッジ整流器であってもよいがこれに限定されない。第１コンデンサ１０４は、電解コンデンサであってもよいがこれに限定されない。第２コンデンサ１０６は、電解コンデンサであってもよいがこれに限定されない。保護抵抗１１８は、第１スイッチユニット１０８を保護するためのものである。
【００３６】
本発明によれば、電源供給装置の突入電流およびエネルギー浪費を低減することができ、負温度係数サーミスタ１０２０６の抵抗値を、従来の電源供給装置における負温度係数サーミスタの抵抗値より小さくすることができ、更に負温度係数サーミスタが不要となる。
【００３７】
本発明の好適な実施例を前述の通り開示したが、これらは決して本発明を限定するものではない。本発明の特許請求の範囲による各種の変動および修正は、本発明の保護を求める範囲内に属するものである。以上の説明から分かるように、本発明は、産業上の利用可能性、新規性および進歩性を備えており、しかも本発明の構造は同類の製品に見られず、公開使用もされていないことから、発明特許の出願要件を完全に満たすため、ここに特許法に基づき特許を出願するものである。
【符号の説明】
【００３８】
１０        可変の回路ループインピーダンスを有する電源供給装置
２０        交流電源供給装置
３０        負荷装置
１０２      電力変換ユニット
１０４      第１コンデンサ
１０６      第２コンデンサ
１０８      第１スイッチユニット
１１０      第１スイッチ制御ユニット
１１２      交流電源
１１４      直流電源
１１６      電源起動信号
１１８      保護抵抗
１０２０２  ＤＣ／ＤＣ変換サブユニット
１０２０４  力率補正サブユニット
１０２０６  負温度係数サーミスタ
１０２０８  整流サブユニット
【図１】
2015122934.tif 000003
【図２】
2015122934.tif 000004
【手続補正書】
【提出日】平成27年4月23日(2015.4.23)
【手続補正１】
【補正対象書類名】特許請求の範囲
【補正対象項目名】全文
【補正方法】変更
【補正の内容】
【特許請求の範囲】
【請求項１】
交流電源供給装置および負荷装置に用いられ、可変の回路ループインピーダンスを有する電源供給装置であって、
前記交流電源供給装置および前記負荷装置に電気的に接続される電力変換ユニットと、
前記電力変換ユニットに電気的に接続される第１コンデンサと、
前記電力変換ユニットおよび前記第１コンデンサに電気的に接続される第２コンデンサと、
前記第２コンデンサに電気的に接続される第１スイッチユニットと、
前記第１スイッチユニット、前記電力変換ユニットおよび前記交流電源供給装置に電気的に接続される第１スイッチ制御ユニットと、を含み、
前記電力変換ユニットまたは前記交流電源供給装置が起動されるか、または、前記負荷装置が前記電力変換ユニットに接続されると、
突入電流が発生し、前記第１スイッチ制御ユニットは前記第１コンデンサおよび前記第２コンデンサからなるコンデンサ全体のインピーダンスが前記第１コンデンサの第１コンデンサインピーダンスに等しくなるように前記第１スイッチユニットをオンにせず、前記第１コンデンサインピーダンスが前記突入電流の発生を抑制可能な値を有し、前記電力変換ユニットが動作モード以外であり、
前記第１コンデンサインピーダンスが前記突入電流の発生を抑制した後において前記突入電流が発生しない場合、前記電力変換ユニットが動作モードとなり、
前記電力変換ユニットは、前記交流電源供給装置からの交流電源を直流電源に変換し、電源起動信号を前記第１スイッチ制御ユニットに送信し、
前記第１スイッチ制御ユニットは、前記電源起動信号を受信した後、エネルギー浪費を低減するために、前記コンデンサ全体のインピーダンスが前記第１コンデンサインピーダンスよりも小さくなるように、前記第１スイッチユニットをオンにすることを特徴とする可変の回路ループインピーダンスを有する電源供給装置。
【請求項２】
前記第１スイッチユニットおよび前記第２コンデンサに電気的に接続される保護抵抗をさらに含むことを特徴とする請求項１に記載の可変の回路ループインピーダンスを有する電源供給装置。
【請求項３】
前記電力変換ユニットは、前記負荷装置、前記第１スイッチ制御ユニット、前記第１コンデンサおよび前記第２コンデンサに電気的に接続されるＤＣ／ＤＣ変換サブユニットを含み、
前記ＤＣ／ＤＣ変換サブユニットは、前記電力変換ユニットが前記動作モードである場合、前記電源起動信号を前記第１スイッチ制御ユニットに送信することを特徴とする請求項２に記載の可変の回路ループインピーダンスを有する電源供給装置。
【請求項４】
前記電力変換ユニットは、前記第１コンデンサ、前記第２コンデンサおよび前記ＤＣ／ＤＣ変換サブユニットに電気的に接続される力率補正サブユニットをさらに含むことを特徴とする請求項３に記載の可変の回路ループインピーダンスを有する電源供給装置。
【請求項５】
前記電力変換ユニットは、前記力率補正サブユニットおよび前記第１スイッチ制御ユニットに電気的に接続される負温度係数サーミスタをさらに含むことを特徴とする請求項４に記載の可変の回路ループインピーダンスを有する電源供給装置。
【請求項６】
前記電力変換ユニットは、前記交流電源供給装置、前記負温度係数サーミスタおよび前記第１スイッチ制御ユニットに電気的に接続される整流サブユニットをさらに含むことを特徴とする請求項５に記載の可変の回路ループインピーダンスを有する電源供給装置。
【請求項７】
前記第１スイッチユニットは、トランジスタスイッチであることを特徴とする請求項６に記載の可変の回路ループインピーダンスを有する電源供給装置。
【請求項８】
前記ＤＣ／ＤＣ変換サブユニットは、ＤＣ／ＤＣコンバータであることを特徴とする請求項７に記載の可変の回路ループインピーダンスを有する電源供給装置。
【請求項９】
前記力率補正サブユニットは、力率補正回路であることを特徴とする請求項８に記載の可変の回路ループインピーダンスを有する電源供給装置。
【請求項１０】
前記整流サブユニットは、ブリッジ整流器であることを特徴とする請求項９に記載の可変の回路ループインピーダンスを有する電源供給装置。
【手続補正２】
【補正対象書類名】明細書
【補正対象項目名】０００５
【補正方法】変更
【補正の内容】
【０００５】
上記目的を達成するために、本発明の可変の回路ループインピーダンスを有する電源供給装置は、交流電源供給装置および負荷装置に用いられ、前記交流電源供給装置および前記負荷装置に電気的に接続される電力変換ユニットと、前記電力変換ユニットに電気的に接続される第１コンデンサと、前記電力変換ユニットおよび前記第１コンデンサに電気的に接続される第２コンデンサと、前記第２コンデンサに電気的に接続される第１スイッチユニットと、前記第１スイッチユニット、前記電力変換ユニットおよび前記交流電源供給装置に電気的に接続される第１スイッチ制御ユニットと、を含む。前記電力変換ユニットまたは前記交流電源供給装置が起動されるか、または、前記負荷装置が前記電力変換ユニットに接続されると、突入電流が発生し、前記第１スイッチ制御ユニットは前記第１コンデンサおよび前記第２コンデンサからなるコンデンサ全体のインピーダンスが前記第１コンデンサの第１コンデンサインピーダンスに等しくなるように前記第１スイッチユニットをオンにせず、前記第１コンデンサインピーダンスが前記突入電流の発生を抑制可能な値を有し、前記電力変換ユニットが動作モード以外であり、前記第１コンデンサインピーダンスが前記突入電流の発生を抑制した後において前記突入電流が発生しない場合、前記電力変換ユニットが動作モードとなり、前記電力変換ユニットは、前記交流電源供給装置からの交流電源を直流電源に変換し、電源起動信号を前記第１スイッチ制御ユニットに送信し、前記第１スイッチ制御ユニットは、前記電源起動信号を受信した後、エネルギー浪費を低減するために、前記コンデンサ全体のインピーダンスが前記第１コンデンサインピーダンスよりも小さくなるように、前記第１スイッチユニットをオンにする。